(57)【特許請求の範囲】
【請求項１】
ワイヤレス通信の方法であって、
アップリンクグラントを使用してスケジューリングされることができるアップリンクデータトラフィックをモバイルデバイスが有さないとき、前記モバイルデバイスにおいて、チャネル状態情報（ＣＳＩ）トリガを有するダウンリンクグラントを受信することと、
前記モバイルデバイスが、前記ダウンリンクグラント内の前記ＣＳＩトリガを検出することと、
前記ダウンリンクグラント内の前記ＣＳＩトリガによってトリガされたＣＳＩフィードバックと、前記モバイルデバイスに対してスケジューリングされた他のアップリンク信号との衝突を検出することと、
前記衝突に応答して、前記ＣＳＩフィードバックを前記他のアップリンク信号と多重化することと、
前記ダウンリンクグラント内の前記ＣＳＩトリガに応答して、前記モバイルデバイスが前記ＣＳＩフィードバックを送信することと、
アップリンクグラントを使用してスケジューリングされることができるアップリンクデータトラフィックを前記モバイルデバイスが有するとき、モバイルデバイスにおいて、ＣＳＩトリガを有するアップリンクグラントを受信することと、
前記アップリンクグラント内の前記ＣＳＩトリガに応答して、前記モバイルデバイスが前記ＣＳＩフィードバックを送信することと、
を備え、
前記ダウンリンクグラント内の前記ＣＳＩトリガに応答して、前記モバイルデバイスが前記ＣＳＩフィードバックを送信することは、
前記ダウンリンクグラントに基づき、前記ＣＳＩフィードバックを搬送するためのアップリンク送信リソースのセットを、上位レイヤによって構成されたアップリンク送信リソースの複数のセットから選択すること、を備える、方法。
【請求項２】
前記選択することは、
選択のために送信リソースの前記セットを指定する無線リソース制御（ＲＲＣ）信号を識別することと、
選択のために送信リソースの前記セットに関連付けられたダウンリンク制御情報（ＤＣＩ）フォーマットを識別することと、
選択のために送信リソースの前記セットに関連付けられた制御チャネルタイプを識別することと、
複数の復号候補から復号候補を識別することと、ここで、前記識別された復号候補は、選択のために送信リソースの前記セットに関連付けられる、
前記ＣＳＩフィードバックの送信のためのサブフレームを識別することと、ここで、前記識別されたサブフレームは、選択のために送信リソースの前記セットに関連付けられる、
のうちの１つまたは複数を含む、請求項１に記載の方法。
【請求項３】
送信リソースの前記複数のセットの各々は、
送信リソース識別情報、
ＣＳＩフィードバックタイプ、
アップリンクチャネルタイプ、
ＣＳＩフィードバック送信のために識別されたアップリンクチャネルのためのトランスポート電力制御（ＴＰＣ）コマンド、
復調基準信号（ＤＭ−ＲＳ）および直交カバーコード（ＯＣＣ）インデックスのためのサイクリックシフト、および
非周期的なサウンディング基準信号（ＳＲＳ）に対する要求
のうちの１つまたは複数を含む、請求項１に記載の方法。
【請求項４】
送信リソース識別情報は、
リソースロケーション、
リソース帯域幅、
変調オーダ、
ランク、および
プリコーディングインデックス
のうちの１つまたは複数を含む、請求項３に記載の方法。
【請求項５】
ＣＳＩフィードバックの送信のための前記変調オーダまたはランクのうちの少なくとも１つは固定である、請求項４に記載の方法。
【請求項６】
前記ＣＳＩトリガに応答して前記ＣＳＩフィードバックの前記送信を繰り返す回数を識別すること、
をさらに含む、請求項１に記載の方法。
【請求項７】
前記数は、
所定の数、および
設定された数
のうちの１つである、請求項６に記載の方法。
【請求項８】
前記回数の各々の間に送信される前記ＣＳＩフィードバックは、
同一のタイプのＣＳＩフィードバック、および
異なるタイプのＣＳＩフィードバック
のうちの１つを含む、請求項６に記載の方法。
【請求項９】
前記他のアップリンク信号内の任意の周期的ＣＳＩをドロップすること、
をさらに含む、請求項１に記載の方法。
【請求項１０】
前記検出された衝突は、アップリンクデータチャネル間の衝突であり、前記方法は、
前記ダウンリンクグラント内の前記ＣＳＩトリガによってトリガされた前記ＣＳＩフィードバックを含む前記アップリンクデータチャネルをドロップすること、
をさらに含む、請求項１に記載の方法。
【請求項１１】
前記モバイルデバイスが前記ダウンリンクグラント内の前記ＣＳＩトリガを検出することは、前記モバイルデバイスが前記ダウンリンクグラント内の１つまたは複数の新しいビットを検出することを含む、請求項１に記載の方法。
【請求項１２】
前記モバイルデバイスが前記ダウンリンクグラント内の前記ＣＳＩトリガを検出することは、前記モバイルデバイスが前記ダウンリンクグラント内の１つまたは複数の既存のビットを再解釈することをさらに含む、請求項１１に記載の方法。
【請求項１３】
前記モバイルデバイスが前記ダウンリンクグラント内の前記ＣＳＩトリガを検出することは、前記モバイルデバイスが前記ダウンリンクグラント内の１つまたは複数の既存のビットを再解釈することを含む、請求項１に記載の方法。
【請求項１４】
ワイヤレス通信のために構成された装置であって、
アップリンクグラントを使用してスケジューリングされることができるアップリンクデータトラフィックをモバイルデバイスが有さないとき、前記モバイルデバイスにおいて、チャネル状態情報（ＣＳＩ）トリガを有するダウンリンクグラントを受信するための手段と、
前記ダウンリンクグラント内の前記ＣＳＩトリガを、前記モバイルデバイスによって検出するための手段と、
前記ダウンリンクグラント内の前記ＣＳＩトリガによってトリガされたＣＳＩフィードバックと、前記モバイルデバイスに対してスケジューリングされた他のアップリンク信号との衝突を検出するための手段と、
前記衝突に応答して、前記ＣＳＩフィードバックを前記他のアップリンク信号と多重化するための手段と、
前記ダウンリンクグラント内の前記ＣＳＩトリガに応答して、前記モバイルデバイスによって前記ＣＳＩフィードバックを送信するための手段と、
アップリンクグラントを使用してスケジューリングされることができるアップリンクデータトラフィックを前記モバイルデバイスが有するとき、モバイルデバイスにおいて、ＣＳＩトリガを有するアップリンクグラントを受信するための手段と、
前記アップリンクグラント内の前記ＣＳＩトリガに応答して、前記モバイルデバイスによって前記ＣＳＩフィードバックを送信するための手段と、
を備え、
前記ダウンリンクグラント内の前記ＣＳＩトリガに応答して、前記モバイルデバイスによって前記ＣＳＩフィードバックを送信するための手段は、
前記ダウンリンクグラントに基づき、前記ＣＳＩフィードバックを搬送するためのアップリンク送信リソースのセットを、上位レイヤによって構成されたアップリンク送信リソースの複数のセットから選択するための手段、を備える、装置。
【請求項１５】
選択するための前記手段は、
選択のために送信リソースの前記セットを指定する無線リソース制御（ＲＲＣ）信号を識別するための手段と、
選択のために送信リソースの前記セットに関連付けられたダウンリンク制御情報（ＤＣＩ）フォーマットを識別するための手段と、
選択のために送信リソースの前記セットに関連付けられた制御チャネルタイプを識別するための手段と、
複数の復号候補から復号候補を識別するための手段と、ここで、前記識別された復号候補は、選択のために送信リソースの前記セットに関連付けられる、
前記ＣＳＩフィードバックの送信のためのサブフレームを識別するための手段と、ここで、前記識別されたサブフレームは、選択のために送信リソースの前記セットに関連付けられる、
のうちの１つまたは複数を含む、請求項１４に記載の装置。
【請求項１６】
送信リソースの前記複数のセットの各々は、
送信リソース識別情報、
ＣＳＩフィードバックタイプ、
アップリンクチャネルタイプ、
ＣＳＩフィードバック送信のために識別されたアップリンクチャネルのためのトランスポート電力制御（ＴＰＣ）コマンド、
復調基準信号（ＤＭ−ＲＳ）および直交カバーコード（ＯＣＣ）インデックスのためのサイクリックシフト、および
非周期的なサウンディング基準信号（ＳＲＳ）に対する要求
のうちの１つまたは複数を含む、請求項１４に記載の装置。
【請求項１７】
送信リソース識別情報は、
リソースロケーション、
リソース帯域幅、
変調オーダ、
ランク、および
プリコーディングインデックス
のうちの１つまたは複数を含む、請求項１６に記載の装置。
【請求項１８】
ＣＳＩフィードバックの送信のための前記変調オーダまたはランクのうちの少なくとも１つは固定である、請求項１７に記載の装置。
【請求項１９】
前記ＣＳＩトリガに応答して前記ＣＳＩフィードバックの送信するための前記手段を繰り返す回数を識別するための手段
をさらに含む、請求項１４に記載の装置。
【請求項２０】
前記数は、
所定の数、および
設定された数
のうちの１つである、請求項１９に記載の装置。
【請求項２１】
前記回数の各々の間に送信される前記ＣＳＩフィードバックは、
同一のタイプのＣＳＩフィードバック、および
異なるタイプのＣＳＩフィードバック
のうちの１つを含む、請求項１９に記載の装置。
【請求項２２】
前記他のアップリンク信号内の任意の周期的ＣＳＩをドロップするための手段
をさらに含む、請求項１４に記載の装置。
【請求項２３】
前記検出された衝突は、アップリンクデータチャネル間の衝突であり、前記装置は、
前記ダウンリンクグラント内の前記ＣＳＩトリガによってトリガされた前記ＣＳＩフィードバックを含む前記アップリンクデータチャネルをドロップするための手段
をさらに含む、請求項１４に記載の装置。
【請求項２４】
コンピュータによって実行されると、
アップリンクグラントを使用してスケジューリングされることができるアップリンクデータトラフィックをモバイルデバイスが有さないとき、前記モバイルデバイスにおいて、チャネル状態情報（ＣＳＩ）トリガを有するダウンリンクグラントを受信することと、
前記ダウンリンクグラント内の前記ＣＳＩトリガを、前記モバイルデバイスによって検出することと、
前記ダウンリンクグラント内の前記ＣＳＩトリガによってトリガされたＣＳＩフィードバックと、前記モバイルデバイスに対してスケジューリングされた他のアップリンク信号との衝突を検出することと、
前記衝突に応答して、前記ＣＳＩフィードバックを前記他のアップリンク信号と多重化することと、
前記ダウンリンクグラント内の前記ＣＳＩトリガに応答して、前記モバイルデバイスによって前記ＣＳＩフィードバックを送信することと、
アップリンクグラントを使用してスケジューリングされることができるアップリンクデータトラフィックを前記モバイルデバイスが有するとき、モバイルデバイスにおいて、ＣＳＩトリガを有するアップリンクグラントを受信することと、
前記アップリンクグラント内の前記ＣＳＩトリガに応答して、前記モバイルデバイスによって前記ＣＳＩフィードバックを送信することと、
を前記コンピュータに行わせるプログラムコードを備え、
前記ダウンリンクグラント内の前記ＣＳＩトリガに応答して、前記モバイルデバイスによって前記ＣＳＩフィードバックを送信することは、
前記ダウンリンクグラントに基づき、前記ＣＳＩフィードバックを搬送するためのアップリンク送信リソースのセットを、上位レイヤによって構成されたアップリンク送信リソースの複数のセットから選択すること、を備える、コンピュータプログラム。
【請求項２５】
ワイヤレス通信のために構成された装置であって、
少なくとも１つのプロセッサと、
前記少なくとも１つのプロセッサに結合されたメモリと、
を備え、前記少なくとも１つのプロセッサは、
アップリンクグラントを使用してスケジューリングされることができるアップリンクデータトラフィックをモバイルデバイスが有さないとき、前記モバイルデバイスにおいて、チャネル状態情報（ＣＳＩ）トリガを有するダウンリンクグラントを受信することと、
前記ダウンリンクグラント内の前記ＣＳＩトリガを、前記モバイルデバイスによって検出することと、
前記ダウンリンクグラント内の前記ＣＳＩトリガによってトリガされたＣＳＩフィードバックと、前記モバイルデバイスに対してスケジューリングされた他のアップリンク信号との衝突を検出することと、
前記衝突に応答して、前記ＣＳＩフィードバックを前記他のアップリンク信号と多重化することと、
前記ダウンリンクグラント内の前記ＣＳＩトリガに応答して、前記モバイルデバイスが前記ＣＳＩフィードバックを送信することと、
アップリンクグラントを使用してスケジューリングされることができるアップリンクデータトラフィックを前記モバイルデバイスが有するとき、モバイルデバイスにおいて、ＣＳＩトリガを有するアップリンクグラントを受信することと、
前記アップリンクグラント内の前記ＣＳＩトリガに応答して、前記モバイルデバイスが前記ＣＳＩフィードバックを送信することと、
を行うように構成され、
前記ダウンリンクグラント内の前記ＣＳＩトリガに応答して、前記モバイルデバイスが前記ＣＳＩフィードバックを送信することは、
前記ダウンリンクグラントに基づき、前記ＣＳＩフィードバックを搬送するためのアップリンク送信リソースのセットを、上位レイヤによって構成されたアップリンク送信リソースの複数のセットから選択すること、を備える、装置。
【発明の詳細な説明】
【関連出願への相互参照】
【０００１】
本願は、２０１３年１月２３日に出願された「EFFICIENT UPLINK RESOURCE INDICATION FOR CSI FEEDBACK」と題する米国特許仮出願第６１／７５５８１４号の利益を主張し、これは、参照によって全体が本明細書に組み込まれる。
【技術分野】
【０００２】
本開示の態様は一般に、ワイヤレス通信システムに関し、より具体的には、チャネル状態情報（ＣＳＩ）フィードバックのための効率的なアップリンク（ＵＬ）リソースインジケーションに関する。
【背景技術】
【０００３】
[0003]  ワイヤレス通信ネットワークは、音声、ビデオ、パケットデータ、メッセージング、ブロードキャスト、等の、様々な通信サービスを提供するために広く展開されている。これらワイヤレスネットワークは、利用可能なネットワークリソースを共有することによって、複数の（multiple）ユーザをサポートすることができる多元接続（multiple access）ネットワークでありうる。このようなネットワークは、通常は多元接続ネットワークであり、利用可能なネットワークリソースを共有することによって複数のユーザのための通信をサポートする。このようなネットワークの一例は、ユニバーサル地上波無線アクセスネットワーク（ＵＴＲＡＮ）である。ＵＴＲＡＮは、第３世代パートナーシッププロジェクト（３ＧＰＰ）によってサポートされる第３世代（３Ｇ）モバイル電話技術である、ユニバーサルモバイル電気通信システム（ＵＭＴＳ）の一部として定義された無線アクセスネットワーク（ＲＡＮ）である。多元接続ネットワークフォーマットの例には、符号分割多元接続（ＣＤＭＡ）ネットワーク、時分割多元接続（ＴＤＭＡ）ネットワーク、周波数分割多元接続（ＦＤＭＡ）ネットワーク、直交ＦＤＭＡ（ＯＦＤＭＡ）ネットワーク、単一キャリアＦＤＭＡ（ＳＣ−ＦＤＭＡ）ネットワークが含まれる。
【０００４】
[0004]  ワイヤレス通信ネットワークは、多くのユーザ機器（ＵＥ）のために通信をサポートすることができる多くの基地局またはノードＢを含みうる。ＵＥは、ダウンリンクおよびアップリンクを介して基地局と通信しうる。ダウンリンク（すなわち、順方向リンク）は、基地局からＵＥへの通信リンクを指し、アップリンク（すなわち、逆方向リンク）は、ＵＥから基地局への通信リンクを指す。
【０００５】
[0005]  基地局は、ダウンリンク上でＵＥにデータおよび制御情報を送信し得、および／または、アップリンク上でＵＥからデータおよび制御情報を受信しうる。ダウンリンク上で、基地局からの送信は、隣接した基地局からの、または、他のワイヤレス無線周波数（ＲＦ）送信機からの送信による干渉に遭遇しうる。アップリンク上で、ＵＥからの送信は、隣接した基地局と通信する他のＵＥのアップリンク送信からの、または、他のワイヤレスＲＦ送信機からの干渉に遭遇しうる。この干渉は、ダウンリンクおよびアップリンクの両方でパフォーマンスを劣化させうる。
【０００６】
[0006]  モバイルブロードバンドアクセスに対する需要が高まり続けるにつれ、より多くのＵＥが長距離ワイヤレス通信ネットワークにアクセスし、より多くの短距離ワイヤレスシステムがコミュニティにおいて展開されるため、干渉および輻輳ネットワークの可能性が増加しうる。研究および開発は、モバイルブロードバンドアクセスに対する高まる需要を満たすだけでなく、モバイル通信とのユーザ経験を促進および強化するためにも、ＵＭＴＳ技術を進歩させ続ける。
【発明の概要】
【０００７】
[0007]  本開示の様々な態様は、モバイルデバイスにおいてダウンリンクグラント（grant）を受信することと、ダウンリンクグラント内のＣＳＩトリガを、モバイルデバイスによって検出することと、ＣＳＩトリガに応答してモバイルデバイスによってＣＳＩフィードバックを送信することとを含む、ワイヤレス通信の方法に向けられている。
【０００８】
[0008]  本開示の追加の態様は、複数のセルからのモバイルデバイスへのダウンリンク協力（downlink cooperation）を基地局において検出することと、モバイルデバイスのために基地局によって生成されたダウンリンクグラントにＣＳＩトリガを追加することと、ダウンリンクグラントをモバイルデバイスに送信することとを含む、ワイヤレス通信の方法に向けられている。
【０００９】
[0009]  本開示のさらなる態様は、モバイルデバイスにおいてダウンリンクグラントを受信するための手段と、モバイルデバイスによって、ダウンリンクグラント内のＣＳＩトリガを検出するための手段と、ＣＳＩトリガに応答してモバイルデバイスによってＣＳＩフィードバックを送信するための手段とを含む、ワイヤレス通信のために構成された装置に向けられている。
【００１０】
[0010]  本開示のさらなる態様は、複数のセルからのモバイルデバイスへのダウンリンク協力を基地局において検出するための手段と、モバイルデバイスのために基地局によって生成されたダウンリンクグラントにＣＳＩトリガを追加するための手段と、ダウンリンクグラントをモバイルデバイスに送信するための手段とを含む、ワイヤレス通信のために構成された装置に向けられている。
【００１１】
[0011]  本開示のさらなる態様は、プログラムコードが記録された非一時的コンピュータ可読媒体を有するコンピュータプログラム製品に向けられている。プログラムコードは、コンピュータによって実行されると、モバイルデバイスにおいてダウンリンクグラントを受信することと、モバイルデバイスによって、ダウンリンクグラント内のＣＳＩトリガを検出することと、ＣＳＩトリガに応答してモバイルデバイスによってＣＳＩフィードバックを送信することとをコンピュータに行わせる。
【００１２】
[0012]  本開示のさらなる態様は、プログラムコードが記録された非一時的コンピュータ可読媒体を有するコンピュータプログラム製品に向けられている。プログラムコードは、コンピュータによって実行されると、複数のセルからのモバイルデバイスへのダウンリンク協力を基地局において検出することと、モバイルデバイスのために基地局によって生成されたダウンリンクグラントにＣＳＩトリガを追加することと、ダウンリンクグラントをモバイルデバイスに送信することとをコンピュータに行わせる。
【００１３】
[0013]  本開示のさらなる態様は、ワイヤレス通信のために構成された装置に向けられている。装置は、少なくとも１つプロセッサと、このプロセッサに結合されたメモリとを含む。プロセッサは、モバイルデバイスにおいてダウンリンクグラントを受信することと、モバイルデバイスによって、ダウンリンクグラント内のＣＳＩトリガを検出することと、ＣＳＩトリガに応答してモバイルデバイスによってＣＳＩフィードバックを送信することとを行うように構成される。
【００１４】
[0014]  本開示のさらなる態様は、ワイヤレス通信のために構成された装置に向けられている。装置は、少なくとも１つプロセッサと、このプロセッサに結合されたメモリとを含む。プロセッサは、複数のセルからのモバイルデバイスへのダウンリンク協力を基地局において検出することと、モバイルデバイスのために基地局によって生成されたダウンリンクグラントにＣＳＩトリガを追加することと、ダウンリンクグラントをモバイルデバイスに送信することとを行うように構成される。
【図面の簡単な説明】
【００１５】
【図１】図１は、モバイル通信システムの例を例示するブロック図である。
【図２】図２は、本開示の一態様にしたがって構成された基地局／ｅＮＢおよびＵＥの設計を概念的に例示するブロック図である。
【図３Ａ】図３Ａは、連続的なキャリアアグリゲーションタイプを例示するブロック図である。
【図３Ｂ】図３Ｂは、非連続的なキャリアアグリゲーションタイプを例示するブロック図である。
【図４】図４は、クラウドＲＡＮオペレーションのために構成されたワイヤレスネットワークを例示するブロック図である。
【図５】図５は、本開示の一態様を実現するために実行される例となるブロックを例示する機能ブロック図である。
【図６】図６は、本開示の一態様を実現するために実行される例となるブロックを例示する機能ブロック図である。
【図７】図７は、本開示の一態様にしたがって構成されたＵＥを例示するブロック図である。
【発明を実施するための形態】
【００１６】
[0023]  添付の図面に関連して以下に示される詳細な説明は、様々な構成を説明することを意図したものであり、本開示の適用範囲（scope）を制限することを意図したものではない。むしろ、この詳細な説明は、本発明の主題の徹底した理解を与えることを目的とした特定の詳細を含む。これら特定の詳細がすべてのケースで必要とされるわけではないこと、および、いくつかの事例では、周知の構造およびコンポーネントが、提示の明確さのためにブロック図の形式で示されることは、当業者には明らかであろう。
【００１７】
[0024]  本明細書で説明される技法は、ＣＤＭＡ、ＴＤＭＡ、ＦＤＭＡ、ＯＦＤＭＡ、ＳＣ−ＦＤＭＡのような様々なワイヤレス通信ネットワークおよび他のネットワークに使用されうる。「ネットワーク」および「システム」という用語は交換して使用されることが多い。ＣＤＭＡネットワークは、ユニバーサル地上波無線アクセス（ＵＴＲＡ）、電気通信工業会（ＴＩＡ）のＣＤＭＡ２０００（登録商標）、等の無線技術を実現しうる。ＵＴＲＡ技術は、広帯域ＣＤＭＡ（ＷＣＤＭＡ（登録商標））およびＣＤＭＡの他の変形を含む。ＣＤＭＡ２０００（登録商標）技術は、電子工業会（ＥＩＡ）およびＴＩＡのＩＳ−２０００、ＩＳ−９５、およびＩＳ−８５６規格を含む。ＴＤＭＡネットワークは、モバイル通信のためのグローバルシステム（ＧＳＭ（登録商標））のような無線技術を実現しうる。ＯＦＤＭＡネットワークは、次世代型ＵＴＲＡ（Ｅ−ＵＴＲＡ）、ウルトラモバイルブロードバンド（ＵＭＢ）、ＩＥＥＥ８０２.１１（Ｗｉ−Ｆｉ（登録商標））、ＩＥＥＥ８０２.１６（ＷｉＭＡＸ（登録商標））、ＩＥＥＥ８０２.２０、フラッシュＯＦＤＭＡ、等の無線技術を実現しうる。ＵＴＲＡおよびＥ−ＵＴＲＡ技術は、ユニバーサルモバイル電気通信システム（ＵＭＴＳ）の一部である。３ＧＰＰロングタームエボリューション（ＬＴＥ）およびＬＴＥアドバンスド（ＬＴＥ−Ａ）は、Ｅ−ＵＴＲＡを使用するＵＭＴＳのより新しいリリースである。ＵＴＲＡ、Ｅ−ＵＴＲＡ、ＵＭＴＳ、ＬＴＥ、ＬＴＥ−Ａ、およびＧＳＭは、「第３世代パートナーシッププロジェクト」（３ＧＰＰ）と呼ばれる組織からの文書で説明されている。ＣＤＭＡ２０００およびＵＭＢは、「第３世代パートナーシッププロジェクト２」（３ＧＰＰ２）と呼ばれる組織からの文書で説明されている。本明細書で説明される技法は、上述されたワイヤレスネットワークおよび無線接続技術に加えて、他のワイヤレスネットワークおよび無線接続技術に使用されうる。明確さのために、これら技法の特定の態様が、ＬＴＥまたはＬＴＥ−Ａ（総称して、別名、「ＬＴＥ／−Ａ」と呼ばれる）について以下で説明され、以下の説明の大半で、このようなＬＴＥ／−Ａの専門用語を使用する。
【００１８】
[0025]  図１は、通信のためのワイヤレスネットワーク１００を示し、これはＬＴＥ−Ａネットワークでありうる。ワイヤレスネットワーク１００は、多くの発展型ノードＢ（ｅＮＢ）１１０および他のネットワークエンティティを含む。ｅＮＢは、ＵＥと通信する局であり得、基地局、ノードＢ、アクセスポイント、等とも呼ばれうる。各ｅＮＢ１１０は、特定の地理的エリアに通信カバレッジを提供しうる。３ＧＰＰでは、「セル」という用語は、この用語が使用される文脈に依存して、ｅＮＢのこの特定の地理的カバレッジエリア、および／または、このカバレッジエリアにサービスするｅＮＢサブシステムを指しうる。
【００１９】
[0026]  ｅＮＢは、マクロセル、ピコセル、フェムトセル、および／または他のタイプのセルに通信カバレッジを提供しうる。マクロセルは一般に、比較的広い地理的エリア（例えば、半径数キロメートル）をカバーし、ネットワークプロバイダにサービス加入しているＵＥによる無制限のアクセスを可能にしうる。ピコセルは一般に、比較的狭い地理的エリアをカバーし、ネットワークプロバイダにサービス加入しているＵＥによる無制限のアクセスを可能にしうる。フェムトセルもまた一般に、比較的狭い地理的エリア（例えば、家）をカバーし、無制限のアクセスに加えて、このフェムトセルと関連があるＵＥ（例えば、クローズド加入者グループ（ＣＳＧ）のＵＥ、家の中にいるユーザのＵＥ、等）による制限付のアクセスも提供しうる。マクロセルのためのｅＮＢはマクロｅＮＢと呼ばれうる。ピコセルのためのｅＮＢはピコｅＮＢと呼ばれうる。そして、フェムトセルのためのｅＮＢは、フェムトｅＮＢまたはホームｅＮＢと呼ばれうる。図１に示される例では、ｅＮＢ１１０ａ、１１０ｂ、および１１０ｃはそれぞれ、マクロセル１０２ａ、１０２ｂ、および１０２ｃのためのマクロｅＮＢである。ｅＮＢ１１０ｘは、ピコセル１０２ｘのためのピコｅＮＢである。そして、ｅＮＢ１１０ｙおよび１１０ｚはそれぞれ、フェムトセル１０２ｙおよび１０２ｚのためのフェムトｅＮＢである。ｅＮＢは、１つまたは複数（例えば、２つ、３つ、４つ、等）のセルをサポートしうる。
【００２０】
[0027]  ワイヤレスネットワーク１００には中継（リレー）局も含まれる。中継局は、アップストリーム局（例えば、ｅＮＢ、ＵＥ、等）からデータおよび／または他の情報の送信を受信し、ダウンストリーム局（例えば、別のＵＥ、別のｅＮＢ、等）にデータおよび／または他の情報の送信を送る局である。中継局はまた、他のＵＥのための送信を中継するＵＥでありうる。図１に示される例では、中継局１１０ｒは、ｅＮＢ１１０ａおよびＵＥ１２０ｒと通信し得、ここでは、中継局１１０ｒは、２つのネットワークエレメント（ｅＮＢ１１０ａおよびＵＥ１２０ｒ）の間での通信を容易にするために、それらの間でリレーとして作動する。中継局は、中継ｅＮＢ、リレー、等とも呼ばれうる。
【００２１】
[0028]  ワイヤレスネットワーク１００は、同期オペレーションまたは非同期オペレーションをサポートしうる。同期オペレーションの場合、ｅＮＢは同様のフレームタイミングを有し得、異なるｅＮＢからの送信は、時間的におおまかにアラインされうる。非同期オペレーションの場合、ｅＮＢは異なるフレームタイミングを有し得、異なるｅＮＢからの送信は時間的にアラインされない可能性がある。
【００２２】
[0029]  ＵＥ１２０は、ワイヤレスネットワーク１００中に分散しており、各ＵＥは、据置型またはモバイルでありうる。ＵＥは、端末、モバイル局、加入者ユニット、局、等とも呼ばれうる。ＵＥは、セルラ電話、スマートフォン、携帯情報端末（ＰＤＡ）、ワイヤレスモデム、ワイヤレス通信デバイス、ハンドヘルドデバイス、タブレットコンピュータ、ラップトップコンピュータ、コードレス電話、ワイヤレスローカルループ（ＷＬＬ）局、等でありうる。ＵＥは、マクロｅＮＢ、ピコｅＮＢ、フェムトｅＮＢ、リレー、等と通信することができうる。図１では、両矢印付きの実線は、ＵＥと、ダウンリンクおよび／またはアップリンク上でＵＥにサービスするように指定されたｅＮＢであるサービングｅＮＢとの間の所望の送信を示す。両矢印付きの破線は、ＵＥとｅＮＢとの間の送信に干渉することを示す。
【００２３】
[0030]  ＬＴＥ／−Ａは、ダウンリンク上では直交周波数分割多重化（ＯＦＤＭ）を利用し、アップリンク上では単一キャリア周波数分割多重化（ＳＣ−ＦＤＭ）を利用する。ＯＦＤＭおよびＳＣ−ＦＤＭは、システム帯域幅を、通称、トーン、ビン、等とも呼ばれる複数（Ｋ個）の直交サブキャリアに分ける。各サブキャリアはデータで変調されうる。一般に、ＯＦＤＭでは周波数ドメインで、ＳＣ−ＦＤＭでは時間ドメインで変調シンボルが送られる。近接したサブキャリア同士の間隔は固定であり得、サブキャリアの総数（Ｋ）はシステム帯域幅に依存しうる。例えば、Ｋは、１.４、３、５、１０、１５、または２０メガヘルツ（ＭＨｚ）という対応するシステム帯域幅に対して、それぞれ７２、１８０、３００、６００、９００、および１２００に等しい。システム帯域幅はまたサブ帯域に分けられうる。例えば、サブ帯域は１.０８ＭＨｚをカバーし得、１.４、３、５、１０、１５、または２０ＭＨｚという対応するシステム帯域幅に対して、それぞれ１、２、４、８、１２、または１６個のサブ帯域が存在しうる。
【００２４】
[0031]  ワイヤレスネットワーク１００は、単位面積毎のシステムのスペクトル効率を高めるために、ｅＮＢ１１０の多様なセット（すなわち、マクロｅＮＢ、ピコｅＮＢ、フェムトｅＮＢ、およびリレー）を使用する。ワイヤレスネットワーク１００がそのスペクトルカバレッジに対してこのような異なるｅＮＢを使用するため、それは、異種ネットワークとも呼ばれうる。マクロｅＮＢ１１０ａ−ｃは通常、ワイヤレスネットワーク１００のプロバイダによって入念に計画され、設置される。マクロｅＮＢ１１０ａ−ｃは一般に、高い電力レベル（例えば、５Ｗ−４０Ｗ）で送信する。一般に大幅に低い電力レベル（例えば、１００ｍＷ−２Ｗ）で送信するピコｅＮＢ１１０ｘおよび中継局１１０ｒは、マクロｅＮＢ１１０ａ−ｃによって提供されるカバレッジエリアにおけるカバレッジホールを解消する（eliminate）ために、および、ホットスポットにおけるキャパシティを向上するために、比較的無計画な方法で配置されうる。通常ワイヤレスネットワーク１００から独立して配置されるフェムトｅＮＢ１１０ｙ−ｚは、それにもかかわらず、リソース協調および干渉管理の協調を行うために、それらの管理者（１または複数）によってオーソライズされた場合にはワイヤレスネットワーク１００への潜在的なアクセスポイントとして、または、少なくとも、ワイヤレスネットワーク１００の他のｅＮＢ１１０と通信しうるアクティブかつアウェアなｅＮＢとして、ワイヤレスネットワーク１００のカバレッジエリアに組み込まれうる。フェムトｅＮＢ１１０ｙ−ｚも、通常、マクロｅＮＢ１１０ａ−ｃよりも大幅に低い電力レベル（例えば、１００ｍＷ−２Ｗ）で送信する。
【００２５】
[0032]  ワイヤレスネットワーク１００のような異種ネットワークのオペレーション中、各ＵＥは、通常より良好な信号品質でｅＮＢ１００によってサービスされ、他のｅＮＢ１１０から受信される望ましくない信号は干渉として扱われる。そのような動作原理は最適には到底及ばないパフォーマンスにつながるが、ｅＮＢ１１０間でのインテリジェントなリソース協調、より優れたサーバ選択ストラテジ、および効率的な干渉管理のための高度な技法を使用することによって、ネットワークパフォーマンスの利得がワイヤレスネットワーク１００において実現される。
【００２６】
[0033]  ピコｅＮＢ１１０ｘのようなピコｅＮＢは、マクロｅＮＢ１１０ａ−ｃのようなマクロｅＮＢと比較したときに、大幅に低い送信電力によって特徴付けられる。ピコｅＮＢはまた、通常、アドホック方式で、ワイヤレスネットワーク１００のようなネットワークの周囲に配置されるだろう。この無計画な配置により、ワイヤレスネットワーク１００のような、ピコｅＮＢが配置されているワイヤレスネットワークは、低い信号対干渉条件で広いエリアを有することが予期され得、それは、カバレッジエリアまたはセルのエッジ上のＵＥ（「セルエッジ」ＵＥ）への制御チャネル送信に対してより困難な（challenging）ＲＦ環境を生み出しうる。さらに、マクロｅＮＢ１１０ａ−ｃおよびピコｅＮＢ１１０ｘの送信電力レベル間の潜在的に大きな不均衡（例えば、約２０ｄＢ）は、混合配置（mixed deployment）において、ピコｅＮＢ１１０ｘのダウンリンクカバレッジエリアが、マクロｅＮＢ１１０ａ−ｃのものよりもはるかに小さくなるであろうことを暗に意味する。
【００２７】
[0034]  しかしながら、アップリンクのケースでは、アップリンク信号の信号強度は、ＵＥによって左右されるので、どのタイプのｅＮＢ１１０によって受信された場合にも同様となるであるだろう。ｅＮＢ１１０のためのアップリンクカバレッジエリアがおおよそ同一または同様である場合、アップリンクハンドオフ境界は、チャネル利得に基づいて決定されるだろう。これは、ダウンリンクハンドオーバ境界とアップリンクハンドオーバ境界との間の不一致をもたらしうる。追加のネットワーク調整（network accommodation）なしでは、この不一致は、ワイヤレスネットワーク１００において、ダウンリンクおよびアップリンクのハンドオーバ境界がより厳密に一致しているマクロｅＮＢだけの同種ネットワークよりも、サーバ選択またはｅＮＢへのＵＥの関連付けをより難しくするだろう。
【００２８】
[0035]  サーバ選択が主にダウンリンク受信信号強度に基づいている場合、ワイヤレスネットワーク１００のような異種ネットワークの混合ｅＮＢ配置(deployment）の有用性は大いに減少するだろう。これは、マクロｅＮＢ１１０ａ−ｃのような高電力（higher powered）マクロｅＮＢのより広いカバレッジエリアが、ピコｅＮＢ１１０ｘのようなピコｅＮＢとセルカバレッジを分割することの利益を制限するためであり、これは、マクロｅＮＢ１１０ａ−ｃのより高いダウンリンク受信信号強度が、利用可能なＵＥをすべて引き寄せ、一方で、ピコｅＮＢ１１０ｘが、その極めて弱いダウンリンク送信電力のせいでいずれのＵＥにもサービスしない可能性があるためである。さらに、マクロｅＮＢ１１０ａ−ｃは、これらＵＥに効率的にサービスするのに十分なリソースを有さない可能性が高いであろう。したがって、ワイヤレスネットワーク１００は、ピコｅＮＢ１１０ｘのカバレッジエリアを拡張することによって、マクロｅＮＢ１１０ａ−ｃとピコｅＮＢ１１０ｘとの間で負荷をアクティブに均衡化（balance）させようと試みるだろう。この概念は、セル範囲拡張（ＣＲＥ：cell range extension）と呼ばれる。
【００２９】
[0036]  ワイヤレスネットワーク１００は、サーバ選択が決定される方式を変えることによってＣＲＥを達成する。サーバ選択をダウンリンク受信信号強度に基づかせる代わりに、選択は、ダウンリンク信号の品質により一層基づく。１つのそのような品質ベースの決定では、サーバ選択は、ＵＥへの最小経路損失を提供するｅＮＢを決定することに基づきうる。追加的に、ワイヤレスネットワーク１００は、マクロｅＮＢ１１０ａ−ｃとピコｅＮＢ１１０ｘとの間でのリソースの固定分割を提供する。しかしながら、この負荷のアクティブな均衡化がある場合でも、ピコｅＮＢ１１０ｘのようなピコｅＮＢによってサービスされるＵＥに対するマクロｅＮＢ１１０ａ−ｃからのダウンリンク干渉は緩和されるべきである。これは、ＵＥでの干渉キャンセレーション、ｅＮＢ１１０間でのリソース協調、等を含む様々な方法によって達成されうる。
【００３０】
[0037]  ワイヤレスネットワーク１００のような、セル範囲拡張を有する異種ネットワークでは、マクロｅＮＢ１１０ａ−ｃのような高電力ｅＮＢから送信されるより強いダウンリンク信号が存在するときに、ＵＥがピコｅＮＢ１１０ｘのような低電力（lower-powered）ｅＮＢからサービスを取得するために、ピコｅＮＢ１１０ｘは、ｅＮＢ１１０ａ−ｃのうち支配的干渉するものとの制御チャネルおよびデータチャネル干渉協調に従事する。干渉協調のための多種多様な技法が干渉を管理するために採用されうる。例えば、セル間干渉協調（ＩＣＩＣ）が、同一チャネル配置におけるセルからの干渉を低減させるために使用されうる。１つのＩＣＩＣメカニズムは適応型リソース分割（adaptive resource partitioning）である。適応型リソース分割は、サブフレームを特定のｅＮＢに割り当てる。第１のｅＮＢに割り当てられたサブフレームでは、隣接したｅＮＢは送信を行わない。このように、第１のｅＮＢによってサービスされるＵＥが経験する干渉は低減される。サブフレーム割当ては、アップリンクチャネルとダウンリンクチャネルの両方で行われうる。
【００３１】
[0038]  例えば、サブフレームは、保護サブフレーム（Ｕサブフレーム）、禁止サブフレーム（Ｎサブフレーム）、および共通サブフレーム（Ｃサブフレーム）という３つのクラスのサブフレームの間に割り振られうる。保護サブフレームは、第１のｅＮＢによる排他的な使用のために第１のｅＮＢに割り当てられる。保護サブフレームはまた、隣接するｅＮＢからの干渉がないことから、「クリーンな」サブフレームとも呼ばれうる。禁止サブフレームは、隣接したｅＮＢに割り当てられたサブフレームであり、第１のｅＮＢは、この禁止サブフレームの間データを送信することが禁止される。例えば、第１のｅＮＢの禁止サブフレームは、干渉を引き起こす第２のｅＮＢの保護サブフレームに対応しうる。したがって、第１のｅＮＢは、第１のｅＮＢの保護サブフレームの間にデータを送信する唯一のｅＮＢである。共通サブフレームは、複数のｅＮＢによるデータ送信のために使用されうる。共通サブフレームはまた、他のｅＮＢからの干渉の可能性ゆえに、「クリーンでない」サブフレームとも呼ばれうる。
【００３２】
[0039]  少なくとも１つの保護サブフレームが、周期ごとに静的に割り当てられる。いくつかのケースでは、たった１つの保護サブフレームだけが静的に割り当てられる。例えば、期間が８ミリ秒である場合、１つの保護サブフレームが、８ミリ秒の期間ごとにｅＮＢに静的に割り当てられうる。他のサブフレームは動的に割り振られうる。
【００３３】
[0040]  適応的リソース分割情報（ＡＲＰＩ）は、非静的に割り当てられるサブフレームが動的に割り振られることを可能にする。保護サブフレーム、禁止サブフレーム、または共通サブフレームのどれもが動的に割り振られうる（それぞれ、ＡＵ、ＡＮ、ＡＣサブフレーム）。この動的な割当ては、急速に、例えば、１００ミリ秒ごとにまたはそれ未満で変化しうる。
【００３４】
[0041]  異種ネットワークは、異なる電力クラスのｅＮＢを有しうる。例えば、電力クラスが大きい方から順に、マクロｅＮＢ、ピコｅＮＢ、フェムトｅＮＢという３つの電力クラスが定義されうる。マクロｅＮＢ、ピコｅＮＢ、およびフェムトｅＮＢが同一チャネル配置されている場合、マクロｅＮＢ（攻撃者ｅＮＢ）の電力スペクトル密度（ＰＳＤ）は、ピコｅＮＢおよびフェムトｅＮＢ（被害者ｅＮＢ）のＰＳＤよりも大きく、これは、ピコｅＮＢおよびフェムトｅＮＢに対する大量の干渉を引き起こしうる（create）。保護サブフレームは、ピコｅＮＢおよびフェムトｅＮＢに対する干渉を低減または最小化するために使用されうる。すなわち、保護サブフレームは、攻撃者ｅＮＢにおける禁止サブフレームに対応するように、被害者ｅＮＢのためにスケジューリングされうる。
【００３５】
[0042]  図２は、基地局／ｅＮＢ１１０およびＵＥ１２０の設計のブロック図を示し、これらは、図１の基地局／ｅＮＢのうちの１つおよびＵＥのうちの１つでありうる。制限付きの関連付けシナリオの場合、ｅＮＢ１１０は、図１のマクロｅＮＢ１１０ｃであり得、ＵＥ１２０はＵＥ１２０ｙでありうる。ｅＮＢ１１０はまた、何らかの他のタイプの基地局でありうる。ｅＮＢ１１０は、アンテナ２３４ａ〜２３４ｔを備え、ＵＥ１２０は、アンテナ２５２ａ〜２５２ｒを備えうる。
【００３６】
[0043]  ｅＮＢ１１０において、送信プロセッサ２２０はデータソース２１２からデータを受け取り、コントローラ／プロセッサ２４０から制御情報を受け取る。制御情報は、ＰＢＣＨ、ＰＣＦＩＣＨ、ＰＨＩＣＨ、ＰＤＣＣＨ、等のためのものでありうる。データは、ＰＤＳＣＨ、等のためのものでありうる。送信プロセッサ２２０は、このデータおよび制御情報を処理（例えば、符号化およびシンボルマッピング）して、それぞれデータシンボルおよび制御シンボルを取得しうる。送信プロセッサ２２０はまた、例えば、ＰＳＳ、ＳＳＳ、およびセル固有基準信号のための基準シンボルを生成しうる。送信（ＴＸ）多入力多出力（ＭＩＭＯ）プロセッサ２３０は、適用可能であれば、これらデータシンボル、制御シンボル、および／または基準シンボルに対して空間処理（例えば、プリコーディング）を行い、変調器（ＭＯＤ）２３２ａ〜２３２ｔに出力シンボルストリームを提供しうる。各変調器２３２は、それぞれの出力シンボルストリーム（例えば、ＯＦＤＭ、等のための）を処理して、出力サンプルストリームを取得しうる。各変調器２３２は、この出力サンプルストリームをさらに処理（例えば、アナログ変換、増幅、フィルタリング、およびアップコンバート）して、ダウンリンク信号を取得しうる。変調器２３２ａ〜２３２ｔからのダウンリンク信号はそれぞれアンテナ２３４ａ〜２３４ｔを介して送信されうる。
【００３７】
[0044]  ＵＥ１２０において、アンテナ２５２ａ〜２５２ｒは、ｅＮＢ１１０からダウンリンク信号を受信し、受信信号をそれぞれ復調器（ＤＥＭＯＤ）２５４ａ〜２５４ｒに提供しうる。各復調器２５４は、それぞれの受信信号を調整（例えば、フィルタリング、増幅、ダウンコンバート、およびデジタル化）して、入力サンプルを取得しうる。各復調器２５４は、これら入力サンプル（例えば、ＯＦＤＭ、等のための）をさらに処理して、受信シンボルを取得しうる。ＭＩＭＯ検出器２５６は、すべての復調器２５４ａ〜２５４ｒから受信シンボルを取得し、適用可能であれば、これら受信シンボルに対してＭＩＭＯ検出を行い、検出されたシンボルを提供しうる。受信プロセッサ２５８は、検出されたシンボルを処理（例えば、復調、デインタリーブ、および復号）し、ＵＥ１２０のための復号済みデータをデータシンク２６０に提供し、復号済み制御情報をコントローラ／プロセッサ２８０に提供しうる。
【００３８】
[0045]  アップリンクでは、ＵＥ１２０において、送信プロセッサ２６４は、データソース２６２からデータ（例えば、ＰＵＳＣＨのための）を、コントローラ／プロセッサ２８０から制御情報（例えば、ＰＵＣＣＨのための）を受け取り、処理しうる。送信プロセッサ２６４はまた、基準信号のための基準シンボルを生成しうる。送信プロセッサ２６４からのシンボルは、適用可能であれば、ＴＸ ＭＩＭＯプロセッサ２６６によってプリコーディングされ、復調器２５４ａ〜２５４ｒによってさらに処理され（例えば、ＳＣ−ＦＤＭ、等のために）、ｅＮＢ１１０に送信されうる。ｅＮＢ１１０において、ＵＥ１２０からのアップリンク信号は、アンテナ２３４によって受信され、復調器／変調器２３２によって処理され、適用可能であれば、ＭＩＭＯ検出器２３６によって検出され、受信プロセッサ２３８によってさらに処理されて、ＵＥ１２０によって送られた復号済みデータおよび制御情報が取得されうる。プロセッサ２３８は、復号済みデータをデータシンク２３９に提供し、復号済み制御情報をコントローラ／プロセッサ２４０に提供しうる。
【００３９】
[0046]  コントローラ／プロセッサ２４０および２８０は、それぞれｅＮＢ１１０およびＵＥ１２０でのオペレーションを指揮しうる。ｅＮＢ１１０のコントローラ／プロセッサ２４０および／または他のプロセッサおよびモジュールは、本明細書で説明される技法のための様々なプロセスを行うかまたはそれの実行を指揮しうる。ＵＥ１２０のコントローラ／プロセッサ２８０および／または他のプロセッサおよびモジュールは、図７および８に例示されている機能ブロックおよび／または本明細書で説明される技法のための他のプロセスを行うかまたはそれの実行を指揮しうる。メモリ２４２および２８２は、それぞれｅＮＢ１１０およびＵＥ１２０のためのデータおよびプログラムコードを記憶しうる。スケジューラ２４４は、ダウンリンクおよび／またはアップリンク上でのデータ送信についてＵＥをスケジューリングしうる。
【００４０】
キャリアアグリゲーション
[0047]  ＬＴＥ−アドバンスドＵＥは、各方向での送信に使用される最大で合計１００ＭＨｚ（５つのコンポーネントキャリア）のキャリアアグリゲーションにおいて割り振られる最大２０Ｍｈｚ帯域幅のスペクトルを使用する。一般に、ダウンリンクよりもアップリンク上で送信されるトラフィックが少ないため、アップリンクスペクトルの割振りは、ダウンリンクの割振りよりも小さい可能性がある。例えば、２０ＭＨｚがアップリンクに割り当てられる場合、ダウンリンクには１００ＭＨｚが割り当てられうる。これらの非対称ＦＤＤ割当ては、スペクトルを節約することとなり、ブロードバンド加入者による典型的な非対称帯域幅利用に適している。
【００４１】
キャリアアグリゲーションタイプ
[0048]  ＬＴＥアドバンスドモバイルシステムの場合、２つのタイプのキャリアアグリゲーション（ＣＡ）方法が提案され、それらは、連続的なキャリアアグリゲーションおよび非連続的なキャリアアグリゲーションである。これらは図３Ａおよび３Ｂに例示される。非連続的なキャリアアグリゲーションは、複数の利用可能なコンポーネントキャリアが周波数帯域に沿って分離しているときに生じる（図３Ｂ）。一方、連続的なキャリアアグリゲーションは、複数の利用可能なコンポーネントキャリアが互いに隣接しているときに生じる（図３Ａ）。非連続的なキャリアアグリゲーションおよび連続的なキャリアアグリゲーションの両方は、単体（single unit）のＬＴＥアドバンスドＵＥにサービスするために、複数のＬＴＥ／コンポーネントキャリアをアグリゲートする。
【００４２】
[0049]  キャリアが周波数帯域に沿って分離されているため、ＬＴＥアドバンスドＵＥにおいて複数のＲＦ受信ユニットおよび複数のＦＦＴは非連続的なキャリアアグリゲーションに配備されうる。非連続的なキャリアアグリゲーションは、広周波数範囲にまたがる複数の分離されたキャリア上でのデータ送信をサポートするため、周波数帯域が異なると、伝搬経路損失、ドップラシフト、および他の無線チャネル特性は大きく変動しうる。
【００４３】
[0050]  ゆえに、非連続的なキャリアアグリゲーションアプローチ下でブロードバンドデータ送信をサポートするために、複数の方法が使用され、異なるコンポーネントキャリアのためのコーディング、変調、および送信電力を適応的に調節しうる。例えば、発展型ノードＢ（ｅＮＢ）が各コンポーネントキャリア上で固定の送信電力を有するＬＴＥアドバンスドシステムでは、各コンポーネントキャリアのサポート可能な変調およびコーディングまたは有効カバレッジは異なりうる。
【００４４】
キャリアアグリゲーションにおけるＣＳＩフィードバック
[0051]  ＬＴＥ−Ａでは、ＵＥは、複数のコンポーネントキャリア（ＣＣ）で構成されうる。１つのコンポーネントキャリアが、一次コンポーネントキャリア（ＰＣＣ）として指定され、他のものは、二次コンポーネントキャリア（ＳＣＣ）と呼ばれる。ＰＣＣは典型的に、ＵＥごとに、上位レイヤによって半静的に構成されうる。ＡＣＫ／ＮＡＣＫ、チャネル品質インジケータ（ＣＱＩ）、スケジューリング要求（ＳＲ）、等は、ＰＵＣＣＨ上で送信されるとき、所与のＵＥに対して、ＳＣＣではなくＰＣＣ上で搬送される。ＬＴＥキャリアアグリゲーションの構成では、キャリアアグリゲーション割振りは、最大で５：１のダウンリンク対アップリンクコンポーネントキャリアマッピングをサポートしうる。したがって、１つのアップリンクコンポーネントキャリアが、最大５個のダウンリンクコンポーネントキャリアについてＰＵＣＣＨ上でのＣＳＩフィードバックをサポートしうる。
【００４５】
[0052]  ＬＴＥキャリアアグリゲーション割振りは、また、周期的および非周期的の両方のＣＱＩ、プリコーディングマトリクスインジケータ（ＰＭＩ）、およびランクインジケータ（ＲＩ）報告のようなチャネル状態情報（ＣＳＩ）フィードバックをサポートする。周期的なＣＱＩ／ＰＭＩ／ＲＩは一般に、１つのサブフレーム内の１つのダウンリンクコンポーネントキャリアについてのみ報告される。そのような報告がなされる特定のダウンリンクコンポーネントキャリアが、報告優先スキーム（reporting priority scheme）にしたがって決定される。例えば、ダウンリンクコンポーネントキャリアは、構成された報告タイプに基づいて優先順位が決定されうる。例えば、第１の（＝トップの）優先順位は、報告タイプ３、５、６、２ａ、に関連しており、第２の優先順位は、報告タイプ２、２ｂ、２ｃ、４に関連しており、第３の優先順位は、報告タイプ１、１ａに関連しうる。複数のダウンリンクコンポーネントキャリアが同一の報告モード／タイプを有する場合、これらコンポーネントキャリア間で優先順位付けがＲＲＣ構成されうる。例えば、コンポーネントキャリアは一般に、キャリアアグリゲーション内でコンポーネントキャリアインデックスが提供される。ＲＲＣ構成された優先順位は、同一の報告モード／タイプを有するコンポーネントキャリアの中で、最小のコンポーネントキャリアインデックスを有するコンポーネントキャリアを最優先しうる。同一の優先規則が、ＰＵＳＣＨが無い場合と、ＰＵＳＣＨがある場合の両方のケースに適用されうる。ダウンリンクコンポーネントキャリアが報告のために識別された時点で、他のダウンリンクコンポーネントキャリアについてのＣＱＩ／ＰＭＩ／ＲＩはドロップされうる。同一のコンポーネントキャリアについてのＲＩ、広帯域ＣＱＩ／ＰＭＩ、およびサブ帯域ＣＱＩのような様々なＣＳＩタイプ間の衝突が既存のプロシージャにしたがって解決されうることにさらに留意されたい。
【００４６】
[0053]  キャリアアグリゲーションが構成されるとき、ＵＥ固有の探索空間内の非周期的なＣＳＩ要求フィールドは２ビットを含む。ＣＳＩ要求フィールド内の「００」状態は、いずれのＣＳＩもトリガされていないことを示し、ＣＳＩ要求フィールド内の「０１」状態は、ＣＳＩ報告を送信するアップリンクコンポーネントキャリアにＳＩＢ２−リンク付けされたダウンリンクコンポーネントキャリアについてのトリガを示し、ＣＳＩ要求フィールド内の「１０」および「１１」状態は、そのＣＳＩがＲＲＣによって構成されることを示す。共通探索空間に１ビットの場合、「０」状態は、ＣＳＩがトリガされないことを示し、「１」状態は、ＣＳＩがＲＲＣによって構成されることを意味する。ＲＲＣは、最大５個のコンポーネントキャリアの任意の組み合わせを構成しうる。現在、非周期的なＣＳＩは、アップリンクグラントを介してスケジューリングされるＰＵＳＣＨを使用して送信される。ゆえに、現在、非周期的なＣＳＩ要求だけがアップリンクグラントに存在しうる。
【００４７】
多地点送信協調（coordinate）におけるＣＳＩフィードバック
[0054]  Ｒｅｌ−１１では、多地点協調（ＣｏＭＰ）送信スキームがサポートされる。ＣｏＭＰ送信は、複数の基地局が、１つまたは複数のＵＥへの送信（ダウンリンクＣｏＭＰ）、または、１つまたは複数のＵＥからの受信（アップリンクＣｏＭＰ）を、協調する（coordinate）スキームを指す。ダウンリンクＣｏＭＰおよびアップリンクＣｏＭＰは、ＵＥに対して別々にまたはまとめて使用可能にされる。ＣｏＭＰスキームいくついかの例は、（１）結合送信（ダウンリンクＣｏＭＰ）、ここでは、複数のｅＮＢが、１つのＵＥに向けられている同一のデータを送信する、（２）結合受信（アップリンクＣｏＭＰ）、ここでは、複数のｅＮＢが、１つのＵＥに向けられている同一データを受信する、（３）協調ビームフォーミング、ここでは、ｅＮＢが、そのＵＥに、隣接するセル内のＵＥへの干渉を低減させるために選択されたビームを使用して送信する、（４）動的地点（１つまたは複数）選択、ここでは、データ送信に関与するセル（１つまたは複数）がサブフレームごとに変化しうる。ＣｏＭＰは、同種ネットワークおよび／または異種ネットワーク（ＨｅｔＮｅｔ）の両方に存在しうる。ＣｏＭＰに関与するノード間の接続は、いくらかの待ち時間と制限された帯域幅を経験するＸ２インターフェースを通して、または、最小の待ち時間と根本的には「無制限の」帯域幅を経験する光ファイバインターフェースを通して生じる。ＨｅｔＮｅｔ ＣｏＭＰは、高電力ｅＮＢと低電力ノードとの間での協調を伴い、それは、遠隔無線ヘッド（ＲＲＨ）とも呼ばれることがある。
【００４８】
[0055]  ＣｏＭＰオペレーションをより効率的にサポートするために、１つのＵＥに対して１つまたは複数のＣＳＩプロセスが構成されうる。１つよりも多くのセルがＵＥとの通信に参加しているため、追加のセルに対応するより多くのＣＳＩプロセスが使用されうる。例えば、ｅＮＢは、各ＣＳＩプロセスを、ＵＥのためのＣｏＭＰオペレーションに関与する特定のセルと関連付けうる。各ＣＳＩプロセスは、ＣＳＩフィードバックのために、チャネル推定のための基準信号と、干渉推定のための干渉測定リソースとに関連付けられる。キャリアアグリゲーション実現と同様に、ＵＥは、単一のサブフレームにおいて１つまたは複数のＣＳＩプロセスについてのＣＳＩを報告するようにトリガされうる。ＣｏＭＰオペレーションにおけるＵＥのためにＣＳＩフィードバックのＲＲＣ構成に対して２ビットが利用可能である。ＣｏＭＰオペレーションにおけるＵＥは、キャリアアグリゲーションにも割り振られうる。ゆえに、ＵＥが、ＣｏＭＰオペレーションにおける異なるセルのための異なるコンポーネントキャリアに対して複数のＣＳＩプロセスを報告しうる事例が生じうる。
【００４９】
大きいＣＳＩフィードバックに対するアップリンクリソースの割当て
[0056]  ＬＴＥシステムの将来的な進歩では、ファイバのような高帯域幅および／または低い待ち時間のバックホールインターフェースを使用するセル間での広範囲に及ぶ協力（cooperation）と協調(coordination)を用いて、送信ポイント間でのダウンリンク協力を十分に活かすために、所与の１つのＵＥに対してより多くの数のセルが関与し得る。そのような多数の協力および協調セルからなるこのシステムは、「クラウドＲＡＮ」と呼ばれることが多い。現在のＣｏＭＰシステムは一般に、いくつかの別個のセル（例えば、３個のセル）に協力を提供する。クラウドＲＡＮシステムは、さらに多くのセルがＵＥ毎に（per）送信に協力することを企図する。図４は、クラウドＲＡＮオペレーションのために構成されたワイヤレスネットワーク４０を例示するブロック図である。ワイヤレスネットワーク４０では、ＵＥ４００は、プライマリ基地局４０１を通じでサービスされうる。クラウドＲＡＮ構成で動作すると、ＵＥ４００に向けられたデータのためのダウンリンク協力は、基地局４０１と基地局４０２−４１０との間の協力を含みうる。基地局４０１、４０７、および４０９は、高電力基地局として構成され、基地局４０２−４０６、４０８、および４１０は、低電力基地局またはＲＲＨでありうる。基地局４０２−４１０の各々は、基地局４０１−４１０間のファイババックホールインターフェースを通して協調することで、ダウンリンクデータを送信しうるか、あるいは干渉協調またはキャンセレーションのために協力しうる。広範囲に及ぶ（extensive）ＣＳＩフィードバックが、そのようなクラウドＲＡＮオペレーションをサポートするのに不可欠であり、これは、ＵＥ４００からの大量のアップリンクオーバーヘッドに帰着する。ＵＥ４００は、極めて低い信号対ノイズ比を有するチャネルを潜在的に含む、基地局４０１−４１０の各々とのチャネルについてＣＳＩ測定値を提供し得る。そのような大きなアップリンクオーバーヘッドにより生じる１つの問題は、ＵＥ４００からの極めて大量のＣＳＩフィードバックにアップリンクリソースをどのようにして効率的に割り当てるかということである。ＣＳＩオーバーヘッド情報の量は、ＵＥチャネル条件、トラフィックニーズ、協力するセルの数、セル負荷、等に依存して、異なる複数のサブフレームにわたって変化しうる（例えば、異なる精度、異なるタイプの報告、等）。ゆえに、ＣＳＩフィードバックの必要性はバースト的（bursty）であり得、その一方で、アップリンクデータスケジューリングの必要性はほとんどない可能性がある。アップリンクデータスケジューリングの必要性がＣＳＩフィードバックの必要性よりも少ない状態で、非周期的なＣＳＩがアップリンクグラントを通してスケジューリングされると、追加のＣＳＩフィードバックがどこにスケジューリングされうるかについて問題が生じうる。
【００５０】
[0057]  既存のプロセスおよびプロシージャに基づいて、いくつかのオプションが、そのようなクラウドＲＡＮサポートに対して利用可能でありうる。例えば、周期的なアップリンク制御チャネル（例えば、ＰＵＣＣＨ）は、追加のＣＳＩフィードバックを処理する（handle）ように構成されうる。しかしながら、制御チャネル容量は典型的に限られており、大量のＣＳＩフィードバックを収容することはできない可能性がある。可能性のある別のソリューションは、周期的なアップリンクデータチャネル（例えば、ＰＵＳＣＨ）を構成しうる。しかしながら、周期的なデータチャネルは、オーバーヘッドを消費しすぎる可能性があり、バーストタイプのダウンリンクトラフィックの必要性に対処するのに効率的ではないであろう。
【００５１】
[0058]  可能性のある別のソリューションは、アップリンクデータチャネルと同様の半永久スケジューリング（ＳＰＳ）アプローチを利用しうる。例えば、アップリンクデータチャネルは、特定の時間期間の間アクティベートされ得、必要がなくなると、それはデアクティベートされうる。このＳＰＳアプローチは、良い妥協点を提供し得、単に周期的なアップリンクデータチャネルを構成するよりも効率的である。しかしながら、ＳＰＳ周期性は典型的に１０ｍｓ以上である。この周期性の長さは、サブフレーム依存型ＰＵＳＣＨリソースサイズの潜在的な必要性に対処するのに効率的ではないであろう。ＳＰＳアプローチはまた、バーストネス（burstness）およびアップリンクオーバーヘッドを処理する観点から非効率的でありうる。
【００５２】
[0059]  別の可能なアプローチは、アップリンクグラントによってトリガされる非周期的なＣＳＩフィードバック（uplink grant-triggered aperiodic CSI feedback）を利用しうる。そのようなアップリンクグラントによってトリガされる非周期的なＣＳＩフィードバックは有効なオプションを提供しうる。しかしながら、このトリガリングはアップリンクグラント中に存在する必要があるため、アップリンクデータスケジューリングの必要性がほとんどないとき、このアプローチは、ダウンリンクオーバーヘッドにおいて無駄となる恐れがある。ゆえに、既存の技術に基づいた潜在的なソリューションは、限られたオプションと、限られた効率性を提供する。
【００５３】
[0060]  本開示の様々な態様は、ダウンリンクグラントによってトリガされたＣＳＩ（downlink grant-triggered CSI）送信に向けられる。現在、アップリンク送信についてのスケジューリング情報はダウンリンクグラント中には存在しない。本開示の様々な態様は、ＣＳＩ送信をトリガするために使用されうるダウンリンクグラントにおいて１つまたは複数のビットを提供する。１つまたは複数のビットは、新しいビット、既存のビットの再解釈、またはそれらの組み合わせでありうる。トリガされたＣＳＩフィードバックのアップリンク送信は、ＣＳＩだけの送信でありうるか、あるいは代替的に、ＵＥからアップリンクデータを搬送するためにＵＬ−ＳＣＨも含みうる。ＣＳＩを搬送するアップリンクチャネルは、ＰＵＣＣＨチャネルまたはＰＵＳＣＨチャネルであり得、報告されるＣＳＩは、周期的なＣＳＩまたは非周期的なＣＳＩ、あるいはそれらの組み合わせに対して定義されたものと同一のモードをとりうる。
【００５４】
[0061]  図５は、本開示の一態様を実現するために実行される例となるブロックを例示する機能ブロック図である。ブロック５００において、モバイルデバイスは、サービング基地局からダウンリンクグラントを受信する。図２および７に関して、ＵＥ１２０および７０のようなモバイルデバイスは、コントローラ／プロセッサ２８０の制御下で動作する。図７は、本開示の一態様にしたがって構成されたＵＥ７０を例示するブロック図である。コントローラ／プロセッサ２８０は、メモリ２８２に記憶された論理を実行し、ＵＥ１２０および７０の特徴および機能を提供するＵＥ１２０および７０のコンポーネントを制御する。例えば、アンテナ２５２ａ−ｒ、復調器／変調器２５４ａ−ｒ、ＭＩＭＯ検出器２５６、および受信プロセッサ２５８のような個々のコンポーネントを含みうるワイヤレス無線機７００は、エアインターフェースを通して送信された無線周波数信号を受信しうる。これらのコンポーネントおよび動作（act）の組み合わせは、モバイルデバイスにおいてダウンリンクグラントを受信するための手段を提供しうる。
【００５５】
[0062]  ブロック５０１において、モバイルデバイスは、ダウンリンクグラント内のＣＳＩトリガを検出する。コントローラ／プロセッサ２８０の制御下で、ＵＥ１２０および７０のようなＵＥは、信号検出器７０１、ならびに復調器／変調器２５４ａ−ｒ、ＭＩＭＯ検出器２５６、および受信プロセッサ２５８のような他の個々のコンポーネントを使用して受信信号を検出および復号しうる。ダウンリンクグラントのような受信信号を復号することによって、ＵＥ１２０または７０は、コントローラ／プロセッサ２８０の制御下で、ダウンリンクグラント内に含まれるＣＳＩトリガを検出しうる。これらのコンポーネントおよび動作の組み合わせは、モバイルデバイスによって、ダウンリンクグラント内のＣＳＩトリガを検出するための手段を提供しうる。
【００５６】
[0063]  ブロック５０２において、モバイルデバイスは、ＣＳＩトリガに応答してＣＳＩフィードバックを送信する。ＣＳＩフィードバックは、周期的および非周期的の両方の形式でＣＱＩ、ＰＭＩ、ＲＩ、等のような様々なタイプのフィードバックを含みうる。一般に、信号検出器７０１と、メモリ２８２に記憶され、かつ、コントローラプロセッサ２８０によって実行されるＣＳＩ生成器７０４のような動作論理とを使用して、ＵＥ１２０または７０のようなＵＥは、信号品質を測定し、ＵＥと任意の協力基地局との間の様々なチャネルのプリコーディングまたはランキングインジケータ、等を決定しうる。ＣＳＩ生成器７０４は、次に、コントローラ／プロセッサ２８０の制御下で、信号生成器７０２を使用してＣＳＩフィードバック報告を生成し、ワイヤレス無線機７００を通してＣＳＩフィードバックを基地局に送信しうる。これらのコンポーネントおよび動作の組み合わせは、ＣＳＩトリガに応答してモバイルデバイスによってＣＳＩフィードバックを送信するための手段を提供しうる。
【００５７】
[0064]  本開示の選択された態様では、アップリンクグラントを使用してスケジューリングされることができるアップリンクデータトラフィックをＵＥが有するとき、ダウンリンクグラントによってトリガされるＣＳＩがディセーブルにされ、代わりに、通常のアップリンクグラントプロシージャを使用して追加のＣＳＩをスケジューリングすることに留意されたい。本開示の追加のおよび／または代替的な態様は、すべての状況でも同様に、ダウンリンクグラントによってトリガされるＣＳＩを含みうる。本開示の態様は、ダウンリンクグラントによってトリガされるＣＳＩを適用するための任意の１つの方法に限られるわけではない。
【００５８】
[0065]  図６は、本開示の一態様を実現するために実行される例となるブロックを例示する機能ブロック図である。ブロック６００において、基地局は、複数のセルからのモバイルデバイスへのダウンリンク協力を検出する。基地局は、ファイババックホールインターフェースのようなバックホールインターフェースを通して他の基地局との通信を維持する。図２に関して、ｅＮＢ１１０のような基地局は、異なるセルの複数の基地局との通信を維持しうる。この通信を通して、かつ、コントローラ／プロセッサ２４０の制御下で、ｅＮＢ１１０は、複数のセルが特定のモバイルデバイスへのダウンリンク協力を提供している可能性があることをこの通信を通じて決定する。これらのコンポーネントおよび動作の組み合わせは、複数のセルからのモバイルデバイスへのダウンリンク協力を検出するための手段を提供しうる。
【００５９】
[0066]  ブロック６０１において、基地局は、モバイルデバイスのために生成されたダウンリンクグラントにＣＳＩトリガを追加する。ＵＥ１１０のような、基地局によるダウンリンクグラントのスケジューリング中、スケジューラ２４４は、コントローラ／プロセッサ２４０の制御下で、任意の特定のモバイル局に送られるべきダウンリンクグラントメッセージを生成するように動作する。複数のセルからのダウンリンク協力がブロック６００において検出されたとき、コントローラ／プロセッサ２４０およびスケジューラ２４４は、ダウンリンクグラントにＣＳＩトリガを追加する。このトリガは、そのようなＣＳＩトリガのために再利用される（repurposed）ダウンリンクグラント内の既存のビットを使用しうる。代替的に、新しいビットがＣＳＩトリガに対して定義されうる。これらのコンポーネントおよび動作の組み合わせは、モバイルデバイスのために生成されたダウンリンクグラントにＣＳＩトリガを追加するための手段を提供しうる。
【００６０】
[0067]  ブロック６０２において、基地局は、ＣＳＩトリガを含むダウンリンクグラントをモバイルデバイスに送信する。例えば、ｅＮＢ１１０は、コントローラ／プロセッサ２４０の制御下で、送信プロセッサ２２０、ＴＸ ＭＩＭＯプロセッサ２３０、変調器／復調器２３２ａ−ｔ、およびアンテナ２３４ａ−ｔを使用して、ダウンリンクグラントを送信しうる。これらのコンポーネントおよび動作の組み合わせは、モバイルデバイスにダウンリンクグラントを送信するための手段を提供しうる。
【００６１】
[0068]  ＣＳＩを搬送するアップリンクチャネルのためのリソースは、上位レイヤ（例えば、ＲＲＣ）によって構成されたリソースの１つまたは複数のセットでありうる。本開示の様々な態様は、リソースのセットのうちどれを使用するかを選択するために異なる方法を提供しうる。ＵＥ４００のようなモバイルデバイスは、リソースの特定のセットを基地局４０１からのダウンリンクグラントに基づいて選択しうる。例えば、基地局４０１からのダウンリンクグラント内の指定されたビットがリソースのどのセットを使用するかを示しうる。ＲＲＣは一般に、リソースの３つのセットをスケジューリングするために使用されうる２ビットを有する。ビットの１つの組み合わせは、いずれのＣＳＩも要求されないことを示し、残りの３つの組み合わせは、３つの別個のセット（例えば、（１）第１のセットはＲＢ０と表される１つのＲＢを使用し、（２）第２のセットは、ＲＢ０−ＲＢ１と表される２つのＲＢを使用し、（３）第３のセットは、特定のＰＵＣＣＨフォーマット３リソースに基づいて１つのＰＵＣＣＨフォーマット３を使用する）を識別しうる。様々な組み合わせが、ＲＲＣ構成において３つの利用可能なセットを定義および選択するために実現されうる。
【００６２】
[0069]  追加の態様では、基地局４０１からのダウンリンクグラントのＤＣＩに含まれる異なるダウンリンクＤＣＩフォーマットは、リソースの異なるセットの選択をトリガしうる。例えば、１ビットを含むＤＣＩフォーマット１Ａが、第１のセットをトリガし、一方で２ビットを含むＤＣＩフォーマット２Ｄが、追加のセットをトリガする、などでありうる。
【００６３】
[0070]  さらなる態様では、ダウンリンクグラントのために基地局４０１によって選択された異なる制御チャネルタイプが、リソースの異なるセットの選択をトリガしうる。例えば、ＰＤＣＣＨ制御チャネルが第１のセットの選択をトリガし得、一方で拡張ＰＤＣＣＨ（ＥＰＤＣＣＨ）制御チャネルが第２のセットの選択をトリガしうる。さらなる態様では、ＵＥ４００へのダウンリンクグラントにおいて基地局４０１によって使用される異なる復号候補が、リソースの異なるセットの選択をトリガしうる。例えば、アグリゲーションレベルの第１の復号候補が、リソースの第１のセットの選択をトリガし得、一方で同一のアグリゲーションレベルの第２の復号候補が、リソースの第２のセットの選択をトリガしうる。復号候補によってトリガされる選択（decoding candidate-triggered selection）の別の例では、第１のアグリゲーションレベルの復号候補が、リソースの第１のセットの選択をトリガし得、一方で第２のアグリゲーションレベルの復号候補が、リソースの第２のセットの選択をトリガしうる。復号候補によってトリガされる選択のさらなる例では、ＥＰＤＣＣＨ制御チャネルが、２つのリソースセットで構成され得、ここでは、第１のＥＰＤＣＣＨリソースセットの復号候補が、ＣＳＩ送信のためにリソースの第１のセットの選択をトリガし得、一方で第２のＥＰＤＣＣＨリソースセットの復号候補は、ＣＳＩ送信のためのリソースの第２のセットの選択をトリガしうる。復号候補によってトリガされる選択のさらなる例では、共通（common）探索空間内の復号候補が、リソースの第１のセットの選択をトリガし得、一方でＵＥ固有探索空間内の復号候補が、リソースの第２のセットの選択をトリガしうる。様々な他のパラメータまたは前述のパラメータの組み合わせが、本開示の追加のまたは代替的な態様で、リソースのセットの選択に対して使用されうる。
【００６４】
[0071]  ＣＳＩを搬送するアップリンクチャネルに対して利用可能なリソースのセットは様々な情報を含む。例えば、ＲＲＣによって構成されたリソースの各セットは、ＣＳＩを送信するためのリソースを識別する情報（例えば、ロケーション、帯域幅、変調オーダ、ランク、プリコーディング、等）、ＣＳＩモード／タイプを識別する情報、アップリンクチャネルのためのトランスポート電力制御（ＴＰＣ）コマンド、復調基準信号（ＤＭ−ＲＳ）および直交カバーコード（ＯＣＣ）インデックスのためのサイクリックシフト、および／または、非周期的なサウンディング基準信号（ＳＲＳ）要求のトリガを含みうる。
【００６５】
[0072]  設定可能な変調オーダおよびランクの代わりに、両方とも固定でありうること、例えば、四位相偏移変調（ＱＰＳＫ）およびランク１だけを使用することに留意されたい。固定の変調オーダおよびランクが採用されるとき、リソースを識別する情報は不必要でありうる。
【００６６】
[0073]  本開示の代替的な態様では、ＣＳＩは、ＵＥ４００のようなモバイルデバイスによって一度だけ送信されうる。しかしながら、本開示の追加の態様では、ＣＳＩは、ＵＥ４００のようなモバイルデバイスによって特定の回数送信されうる。その数は、所定でありうるか、または、チャネル品質、電力利用性（例えば、バッテリレベル）、処理負荷、等のような様々なパラメータに基づいて設定可能でありうる。そのような複数の送信の各々内では、同一のまたは異なるリソースが使用されうる。例えば、リソースの特定のセットを選択するための前述された様々な方法またはプロセスを使用して、複数の送信の各インスタンスで、ＵＥ４００は、送信時の即時条件（immediate condition）にしたがってリソースのセットを選択しうる。ゆえに、リソースの異なるセットが、ＣＳＩ送信の各インスタンスに対してＵＥ４００によって使用されうる。代替的に、リソースの１つのセットが、複数の送信のうちの最初の送信でＵＥ４００によって決定され得、同一のリソースのセットが、複数の送信の後続の送信の各々でＵＥ４００によって使用される。複数の送信はまた、送信機会の各々において、同一のまたは異なるタイプの非周期的なＣＳＩ（Ａ−ＣＳＩ）フィードバックを使用しうる。例えば、複数のＣＳＩ送信の数が決定されると、ＵＥ４００は、各送信インスタンスについて、非周期的なＣＱＩ（Ａ−ＣＱＩ）だけを送信するだろう。別の例示的な態様では、複数の送信の数が決定された後、ＵＥ４００は、毎回、異なるＣＳＩフィードバック報告を送信する。例えば、最初にＲＩを送信し、次の送信インスタンスでは、広帯域ＣＱＩ／ＰＭＩを送信し、続く送信インスタンスでは、サブ帯域ＣＱＩを送信する。ＵＥ４００および基地局４０１のようなサービング基地局は、ＣＳＩが送信されることとなる回数、使用されるリソース、タイプ、等を含む複数のＣＳＩ送信の詳細を通信する。
【００６７】
[0074]  本開示の様々な態様によれば、ＵＥ４００が、ダウンリンクによってトリガされるＣＳＩ（downlink-triggered CSI）を受信し、いくつかの他のアップリンク信号（周期的なＣＳＩ、ＳＲＳ、ＳＲ、ＡＣＫ／ＮＡＫ、ＰＵＳＣＨ、等）を送信するようにスケジューリングもされるサブフレームでは、ダウンリンクによってトリガされたＣＳＩは、ＵＥ４００によって他の信号と多重化され得、および／または何らかのタイプの優先順位付けが実施されうる。例えば、ダウンリンクによってトリガされたＣＳＩがＰＵＳＣＨによって搬送される場合、ＳＲＳ／ＳＲ／ＡＣＫ／ＮＡＫを含む他の信号の多重化は、ＵＥ４００が、ＵＬ−ＳＣＨデータなしに通常のＰＵＳＣＨデーチャネルでＳＲＳ／ＳＲ／ＡＣＫ／ＮＡＫを処理するのと同一の方法で処理されうる。他のそのような信号が周期的なＣＳＩ（Ｐ−ＣＳＩ）を含む場合、Ｐ−ＣＳＩはドロップされうる。同様に、他の信号が別のＰＵＳＣＨを含む場合、２つのＰＵＳＣＨのうちの一方がドロップされうる。例えば、通常のＰＵＳＣＨが、ダウンリンクによってトリガされたＣＳＩにより生じたＰＵＳＣＨと衝突すると、ＵＥ４００は、ダウンリンクによってトリガされたＣＳＩにより生じたＰＵＳＣＨをドロップしうる。並列ＰＵＳＣＨ送信が可能な実装では、ＵＥ４００は、衝突する両方のＰＵＳＣＨを送信しうる。別の例では、ダウンリンクによってトリガされたＣＳＩがＰＵＣＣＨによって搬送される場合、ＵＥ４００は、通常のＰ−ＣＳＩでＳＲＳ／ＳＲ／ＡＣＫ／ＮＡＫ／ＰＵＳＣＨが処理されたとのと同一の方法でＳＲＳ／ＳＲ／ＡＣＫ／ＮＡＫを含む他の信号の多重化を処理しうる。すなわち、他の信号がＰ−ＣＳＩを含む場合、このＰ−ＣＳＩはドロップされうる。
【００６８】
[0075]  当業者は、多種多様な技術および技法のいずれかを使用して情報および信号が表されうることを理解するであろう。例えば、上記説明の全体にわたって参照されうるデータ、命令、コマンド、情報、信号、ビット、シンボル、およびチップは、電圧、電流、電磁波、磁場または磁性粒子、光場または光粒子、あるいはこれらの任意の組み合わせによって表されうる。
【００６９】
[0076]  図５および６の機能ブロックおよびモジュールは、プロセッサ、電子デバイス、ハードウェアデバイス、電子コンポーネント、論理回路、メモリ、ソフトウェアコード、ファームウェアコード、等、またはそれらの任意の組み合わせを備えうる。
【００７０】
[0077]  当業者は、本明細書の開示に関連して説明された実例となる様々な論理ブロック、モジュール、回路、およびアルゴリズムのステップが、電子ハードウェア、コンピュータソフトウェア、または両者の組み合わせとして実現されうることをさらに認識するであろう。このハードウェアおよびソフトウェアの互換性を明確に例示するために、実例となる様々なコンポーネント、ブロック、モジュール、回路、およびステップは、概ねそれらの機能の観点から上で説明されている。そのような機能性がハードウェアとして実現されるかソフトウェアとして実現されるかは、特定の用途とシステム全体に課される設計の制約とに依存する。当業者は、上述された機能を特定の用途ごとに様々な方法で実現しうるが、このような実現の決定は本開示の適用範囲からの逸脱をさせるものとして解釈されるべきでない。当業者は、本明細書で説明されたコンポーネント、方法、または相互作用の順序または組み合わせが例に過ぎないこと、および、本開示の様々な態様のコンポーネント、方法、または相互作用が、本明細書で例示および説明されたもの以外の方法で行われるかまたは組み合わせられうることを容易に認識するであろう。
【００７１】
[0078]  本明細書の開示に関連して説明された実例となる様々な論理ブロック、モジュール、回路は、汎用プロセッサ、デジタルシグナルプロセッサ（ＤＳＰ）、特定用途向け集積回路（ＡＳＩＣ）、フィールドプログラマブルゲートアレイ（ＦＰＧＡ）または他のプログラマブル論理デバイス、ディスクリートゲートまたはトランジスタ論理、ディスクリートハードウェアコンポーネント、あるいは本明細書で説明された機能を行うよう設計されたそれらの任意の組み合わせで実現されるかまたは行われうる。汎用プロセッサは、マイクロプロセッサでありうるが、代替的に、プロセッサは、任意の従来のプロセッサ、コントローラ、マイクロコントローラ、またはステートマシンでありうる。プロセッサはまた、コンピューティングデバイスの組み合わせ、例えば、ＤＳＰと、１つのマイクロプロセッサ、複数のマイクロプロセッサ、ＤＳＰコアに連結した１つまたは複数のマイクロプロセッサ、あるいはその他のそのような構成との組み合わせとして実現されうる。
【００７２】
[0079]  本明細書の開示に関連して説明されたアルゴリズムまたは方法のステップは、直接ハードウェアで、プロセッサによって実行されるソフトウェアモジュールで、または両者の組み合わせで具現化されうる。ソフトウェアモジュールは、ＲＡＭメモリ、フラッシュメモリ、ＲＯＭメモリ、ＥＰＲＯＭメモリ、ＥＥＰＲＯＭ（登録商標）メモリ、レジスタ、ハードディスク、リムーバブルディスク、ＣＤ−ＲＯＭ、または当技術分野で知られているその他の形式の記憶媒体に存在しうる。例示的な記憶媒体は、プロセッサがこの記憶媒体から情報を読み取り、この記憶媒体に情報を書き込むことができるようにプロセッサに結合される。代替的に、記憶媒体はプロセッサに一体化されうる。プロセッサおよび記憶媒体はＡＳＩＣ内に存在しうる。ＡＳＩＣはユーザ端末内に存在しうる。代替的に、プロセッサおよび記憶媒体は、ユーザ端末においてディスクリートコンポーネントとして存在しうる。
【００７３】
[0080]  １つまたは複数の例示的な設計では、説明された機能は、ハードウェアで、ソフトウェアで、ファームウェアで、またはそれらの任意の組み合わせで実現されうる。ソフトウェアで実現される場合、これら機能は、コンピュータ可読媒体において、１つまたは複数の命令またはコードとして、記憶または送信されることができる。コンピュータ可読媒体は、ある箇所から別の箇所へのコンピュータプログラの移送を容易にする任意の媒体を含む通信媒体およびコンピュータ記憶媒体の両方を含む。記憶媒体は、汎用コンピュータまたは専用コンピュータによりアクセスされることができる任意の利用可能な媒体でありうる。限定ではなく例として、そのようなコンピュータ可読媒体は、ＲＡＭ、ＲＯＭ、ＥＥＰＲＯＭ、ＣＤ−ＲＯＭまたは他の光ディスク記憶装置、磁気ディスク記憶装置または他の磁気記憶デバイス、あるいは、命令またはデータ構造の形式で所望のプログラムコード手段を搬送または記憶するために使用されることができ、かつ、汎用コンピュータまたは専用コンピュータあるいは汎用プロセッサまたは専用プロセッサによってアクセスされることができるその他の媒体を備えうる。また、任意の接続は厳密にはコンピュータ可読媒体と称されうる。例えば、ソフトウェアが、ウェブサイト、サーバ、または他のリモートソースから、同軸ケーブル、光ファイバケーブル、ツイストペア、デジタル加入者回線（ＤＳＬ）を使用して送信される場合、この同軸ケーブル、光ファイバケーブル、ツイストペアは、または、媒体の定義に含まれる。本明細書で使用される場合、ディスク（disk）およびディスク（disc）は、コンパクトディスク（ＣＤ）、レーザー（登録商標）ディスク、光ディスク、デジタル多用途ディスク（ＤＶＤ）、フロッピー（登録商標）ディスク、およびブルーレイ（登録商標）ディスクを含み、ディスク（disk）は、通常磁気的にデータを再生し、ディスク（disc）は、レーザーを用いて光学的にデータを再生する。上記の組み合わせもまた、コンピュータ可読媒体の適用範囲内に含まれるべきである。
【００７４】
[0081]  本明細書、特許請求の範囲を含む、で使用される場合、「および／または」という用語は、２つ以上の項目からなるリストで使用されるとき、リストされた項目のうちのいずれか１つが単独で採用されうること、または、リストされた項目のうちの２つ以上からなる任意の組み合わせが採用されうることを意味する。例えば、ある構成が、コンポーネントＡ、Ｂ、および／またはＣを含むものとして説明されている場合、この構成は、Ａだけ、Ｂだけ、Ｃだけ、ＡとＢの組み合わせ、ＡとＣの組み合わせ、ＢとＣの組み合わせ、またはＡとＢとＣの組み合わせを含みうる。また、本明細書、特許請求の範囲を含む、で使用される場合、「〜のうちの少なくとも１つ」で始まる複数の項目からなるリストで使用される「または」は、例えば「Ａ、Ｂ、またはＣのうちの少なくとも１つ」のリストが、Ａ、Ｂ、Ｃ、ＡとＢ、ＡとＣ、ＢとＣ、ＡとＢとＣ（すなわち、Ａ、Ｂ、およびＣ）を意味するような、離接的な（disjunctive）リストを示す。
【００７５】
[0082]  本開示の以上の説明は、当業者が本開示を実行または使用することを可能にするために提供される。本開示に対する様々な修正は当業者には容易に明らかであり、本明細書で定義された包括的な原理は、本開示の精神または適用範囲から逸脱することなく、他の変形に適用されうる。したがって、本開示は、本明細書で説明された例および設計に制限されることを意図せず、本明細書に開示された原理および新規な特徴に合致する最も広い適用範囲が与えられるべきである。
以下に、出願当初の特許請求の範囲に記載された発明を付記する。
［Ｃ１］
ワイヤレス通信の方法であって、
モバイルデバイスにおいて、ダウンリンクグラントを受信することと、
前記モバイルデバイスが、前記ダウンリンクグラント内のチャネル状態情報（ＣＳＩ）トリガを検出することと、
前記ＣＳＩトリガに応答して、前記モバイルデバイスがＣＳＩフィードバックを送信することと、
を備える方法。
［Ｃ２］
前記モバイルデバイスにおいて、上位レイヤによって構成された送信リソースの複数のセットから送信リソースのセットを選択すること、
をさらに含む、Ｃ１に記載の方法。
［Ｃ３］
前記選択することは、
選択のために送信リソースの前記セットを指定する無線リソース制御（ＲＲＣ）信号を識別することと、
選択のために送信リソースの前記セットに関連付けられたダウンリンク制御情報（ＤＣＩ）フォーマットを識別することと、
選択のために送信リソースの前記セットに関連付けられた制御チャネルタイプを識別することと、
複数の復号候補から復号候補を識別することと、ここで、前記識別された復号候補は、選択のために送信リソースの前記セットに関連付けられる、
前記ＣＳＩフィードバックの送信のためのサブフレームを識別することと、ここで、前記識別されたサブフレームは、選択のために送信リソースの前記セットに関連付けられる、
のうちの１つまたは複数を含む、Ｃ２に記載の方法。
［Ｃ４］
送信リソースの前記複数のセットの各々は、
送信リソース識別情報、
ＣＳＩフィードバックタイプ、
アップリンクチャネルタイプ、
ＣＳＩフィードバック送信のために識別されたアップリンクチャネルのためのトランスポート電力制御（ＴＰＣ）コマンド、
復調基準信号（ＤＭ−ＲＳ）および直交カバーコード（ＯＣＣ）インデックスのためのサイクリックシフト、および
非周期的なサウンディング基準信号（ＳＲＳ）に対する要求
のうちの１つまたは複数を含む、Ｃ２に記載の方法。
［Ｃ５］
送信リソース識別情報は、
リソースロケーション、
リソース帯域幅、
変調オーダ、
ランク、および
プリコーディングインデックス
のうちの１つまたは複数を含む、Ｃ４に記載の方法。
［Ｃ６］
ＣＳＩフィードバックの送信のための前記変調オーダまたはランクのうちの少なくとも１つは固定である、Ｃ５に記載の方法。
［Ｃ７］
前記ＣＳＩトリガに応答して前記ＣＳＩフィードバックの前記送信を繰り返す回数を識別すること、
をさらに含む、Ｃ２に記載の方法。
［Ｃ８］
前記数は、
所定の数、および
設定された数
のうちの１つである、Ｃ７に記載の方法。
［Ｃ９］
前記回数の各々の間に送信される前記ＣＳＩフィードバックは、
同一のタイプのＣＳＩフィードバック、および
異なるタイプのＣＳＩフィードバック
のうちの１つを含む、Ｃ７に記載の方法。
［Ｃ１０］
前記ダウンリンクグラント内の前記ＣＳＩトリガによってトリガされた前記ＣＳＩフィードバックと、前記モバイルデバイスに対してスケジューリングされた他のアップリンク信号との衝突を検出することと、
前記衝突に応答して、
前記ＣＳＩフィードバックを前記他のアップリンク信号と多重化すること、および
優先順位付けスキームにしたがって前記ＣＳＩフィードバックおよび前記他のアップリンク信号を送信すること
のうちの１つを行うことと、
をさらに含む、Ｃ１に記載の方法。
［Ｃ１１］
前記他のアップリンク信号内の任意の周期的ＣＳＩをドロップすること、
をさらに含む、Ｃ１１に記載の方法。
［Ｃ１２］
前記検出された衝突は、アップリンクデータチャネル間の衝突であり、前記方法は、
前記ダウンリンクグラント内の前記ＣＳＩトリガによってトリガされた前記ＣＳＩフィードバックを含む前記アップリンクデータチャネルをドロップすること、
をさらに含む、Ｃ１０に記載の方法。
［Ｃ１３］
ワイヤレス通信のために構成された装置であって、
モバイルデバイスにおいてダウンリンクグラントを受信するための手段と、
前記ダウンリンクグラント内のチャネル状態情報（ＣＳＩ）トリガを、前記モバイルデバイスによって検出するための手段と、
前記ＣＳＩトリガに応答して、前記モバイルデバイスによってＣＳＩフィードバックを送信するための手段と、
を備える装置。
［Ｃ１４］
前記モバイルデバイスにおいて、上位レイヤによって構成された送信リソースの複数のセットから送信リソースのセットを選択するための手段、
をさらに含む、Ｃ１３に記載の装置。
［Ｃ１５］
選択するための前記手段は、
選択のために送信リソースの前記セットを指定する無線リソース制御（ＲＲＣ）信号を識別するための手段と、
選択のために送信リソースの前記セットに関連付けられたダウンリンク制御情報（ＤＣＩ）フォーマットを識別するための手段と、
選択のために送信リソースの前記セットに関連付けられた制御チャネルタイプを識別するための手段と、
複数の復号候補から復号候補を識別するための手段と、ここで、前記識別された復号候補は、選択のために送信リソースの前記セットに関連付けられる、
前記ＣＳＩフィードバックの送信のためのサブフレームを識別するための手段と、ここで、前記識別されたサブフレームは、選択のために送信リソースの前記セットに関連付けられる、
のうちの１つまたは複数を含む、Ｃ１４に記載の装置。
［Ｃ１６］
送信リソースの前記複数のセットの各々は、
送信リソース識別情報、
ＣＳＩフィードバックタイプ、
アップリンクチャネルタイプ、
ＣＳＩフィードバック送信のために識別されたアップリンクチャネルのためのトランスポート電力制御（ＴＰＣ）コマンド、
復調基準信号（ＤＭ−ＲＳ）および直交カバーコード（ＯＣＣ）インデックスのためのサイクリックシフト、および
非周期的なサウンディング基準信号（ＳＲＳ）に対する要求
のうちの１つまたは複数を含む、Ｃ１４に記載の装置。
［Ｃ１７］
送信リソース識別情報は、
リソースロケーション、
リソース帯域幅、
変調オーダ、
ランク、および
プリコーディングインデックス
のうちの１つまたは複数を含む、Ｃ１６に記載の装置。
［Ｃ１８］
ＣＳＩフィードバックの送信のための前記変調オーダまたはランクのうちの少なくとも１つは固定である、Ｃ１７に記載の装置。
［Ｃ１９］
前記ＣＳＩトリガに応答して前記ＣＳＩフィードバックの送信するための前記手段を繰り返す回数を識別するための手段
をさらに含む、Ｃ１４に記載の装置。
［Ｃ２０］
前記数は、
所定の数、および
設定された数
のうちの１つである、Ｃ１９に記載の装置。
［Ｃ２１］
前記回数の各々の間に送信される前記ＣＳＩフィードバックは、
同一のタイプのＣＳＩフィードバック、および
異なるタイプのＣＳＩフィードバック
のうちの１つを含む、Ｃ１９に記載の装置。
［Ｃ２２］
前記ダウンリンクグラント内の前記ＣＳＩトリガによってトリガされた前記ＣＳＩフィードバックと、前記モバイルデバイスに対してスケジューリングされた他のアップリンク信号との衝突を検出するための手段と、
前記衝突に応答して、
前記ＣＳＩフィードバックを前記他のアップリンク信号と多重化すること、および
優先順位付けスキームにしたがって前記ＣＳＩフィードバックおよび前記他のアップリンク信号を送信すること
のうちの１つを実行可能な手段と、
をさらに含む、Ｃ１３に記載の装置。
［Ｃ２３］
前記他のアップリンク信号内の任意の周期的ＣＳＩをドロップするための手段
をさらに含む、Ｃ２２に記載の装置。
［Ｃ２４］
前記検出された衝突は、アップリンクデータチャネル間の衝突であり、前記装置は、
前記ダウンリンクグラント内の前記ＣＳＩトリガによってトリガされた前記ＣＳＩフィードバックを含む前記アップリンクデータチャネルをドロップするための手段
をさらに含む、Ｃ２２に記載の装置。
［Ｃ２５］
非一時的コンピュータ可読媒体を備えるコンピュータプログラム製品であって、
前記非一時的コンピュータ可読媒体はプログラムコードを記録しており、前記プログラムコードは、コンピュータによって実行されると、
モバイルデバイスにおいてダウンリンクグラントを受信することと、
前記ダウンリンクグラント内のチャネル状態情報（ＣＳＩ）トリガを、前記モバイルデバイスによって検出することと、
前記ＣＳＩトリガに応答して、前記モバイルデバイスによってＣＳＩフィードバックを送信することと、
を前記コンピュータに行わせる、コンピュータプログラム製品。
［Ｃ２６］
前記モバイルデバイスにおいて、上位レイヤによって構成された送信リソースの複数のセットから送信リソースのセットを選択すること
をコンピュータに行わせるプログラムコードをさらに含む、Ｃ２５に記載のコンピュータプログラム製品。
［Ｃ２７］
前記ダウンリンクグラント内の前記ＣＳＩトリガによってトリガされた前記ＣＳＩフィードバックと、前記モバイルデバイスに対してスケジューリングされた他のアップリンク信号との衝突を検出することと、
前記衝突に応答して、
前記ＣＳＩフィードバックを前記他のアップリンク信号と多重化すること、および
優先順位付けスキームにしたがって前記ＣＳＩフィードバックおよび前記他のアップリンク信号を送信すること、
のうちの１つを行うことと、
を前記コンピュータに行わせるプログラムコードをさらに含む、Ｃ２５に記載のコンピュータプログラム製品。
［Ｃ２８］
ワイヤレス通信のために構成された装置であって、
少なくとも１つのプロセッサと、
前記少なくとも１つのプロセッサに結合されたメモリと、
を備え、前記少なくとも１つのプロセッサは、
モバイルデバイスにおいてダウンリンクグラントを受信することと、
前記ダウンリンクグラント内のチャネル状態情報（ＣＳＩ）トリガを、前記モバイルデバイスによって検出することと、
前記ＣＳＩトリガに応答して、前記モバイルデバイスによってＣＳＩフィードバックを送信することと、
を行うように構成される、装置。
［Ｃ２９］
前記モバイルデバイスにおいて、上位レイヤによって構成された送信リソースの複数のセットから送信リソースのセットを選択すること
を行うような前記少なくとも１つのプロセッサの構成をさらに含む、Ｃ２８に記載の装置。
［Ｃ３０］
前記ダウンリンクグラント内の前記ＣＳＩトリガによってトリガされた前記ＣＳＩフィードバックと、前記モバイルデバイスに対してスケジューリングされた他のアップリンク信号との衝突を検出することと、
前記衝突に応答して、
前記ＣＳＩフィードバックを前記他のアップリンク信号と多重化すること、および
優先順位付けスキームにしたがって前記ＣＳＩフィードバックおよび前記他のアップリンク信号を送信すること、のうちの１つを行うことと、
を行うような、前記少なくとも１つのプロセッサの構成をさらに含む、Ｃ２８に記載の装置。
【図１】
0006430401.tif 000002
【図２】
0006430401.tif 000003
【図３Ａ】
0006430401.tif 000004
【図３Ｂ】
0006430401.tif 000005
【図４】
0006430401.tif 000006
【図５】
0006430401.tif 000007
【図６】
0006430401.tif 000008
【図７】
0006430401.tif 000009